(57)【要約】内部電極（１１；５２；６６）、少なくとも１つの外部電極（１４、１５；５４；６１）、および、内部電極と少なくとも１つの外部電極とにはさまれる誘電バリア（１２、１３；５３；６４）、を備えるイオン発生器電極集合体（１０；５０；６０）。内部電極は、連続した全体表面を有し、少なくとも１つの外部電極は、マイナスイオンの生成のための複数のイオン生成ポイントを提供する複数の孔（２１；５６；７０）を有する。【選択図】図１
2012513657.tif 000002
【特許請求の範囲】
【請求項１】
イオン発生器電極集合体であって：
内部電極（１１；５２；６６）；
少なくとも１つの外部電極（１４、１５；５４；６１）；および、
前記内部電極と前記少なくとも１つの外部電極とにはさまれる誘電バリア（１２、１３；５３；６４）；を備え、
前記内部電極は、連続した全体表面を有し、前記少なくとも１つの外部電極は、マイナスイオンの生成のための複数のイオン生成ポイントを提供するのに適した複数の孔（２１；５６；７０）を有する、
電極集合体。
【請求項２】
前記孔（２１；５６；７０）の各々は、多数の先のとがったエッジを有する周辺部分によって囲まれる中心の開口空間を有する、請求項１に記載の電極集合体。
【請求項３】
前記孔の各々は、ハニカム、星または太陽のエレメントの形状に構成される、請求項１または２に記載の電極集合体。
【請求項４】
前記孔の各々は、前記外部電極の局部的な三次元構造によって定義される、請求項１〜３のいずれか１項に記載の電極集合体。
【請求項５】
前記孔の各々は、前記外部電極の隆起した台地状表面上に提供される、請求項１〜４のいずれか１項に記載の電極集合体。
【請求項６】
前記内部および／または少なくとも１つの外部電極は、金属シートを含む、請求項１〜５のいずれか１項に記載の電極集合体。
【請求項７】
前記内部および／または少なくとも１つの外部電極（１１、１４、１５；５２、５４；６６、６１）は、前記金属シート上に形成される導電コーティングをさらに含む、請求項６に記載の電極集合体。
【請求項８】
前記内部および／または少なくとも１つの外部電極（１１、１４、１５；５２、５４；６６、６１）は、導電コーティングを含む、請求項１〜５のいずれか１項に記載の電極集合体。
【請求項９】
前記導電コーティングは、前記誘電バリア（１２、１３；５３；６４）の表面上に形成される、請求項８に記載の電極集合体。
【請求項１０】
前記電極集合体は、一般に平面構成である、請求項１〜９のいずれか１項に記載の電極集合体。
【請求項１１】
それぞれ前記誘電バリア（１２、１３）によって前記内部電極（１１）と各々分離した、２つの前記外部電極（１４、１５）がある、請求項１０に記載の電極集合体（１０）。
【請求項１２】
前記誘電バリア（５３）の片面上に、１つの前記外部電極（５４）がある、請求項１０に記載の電極集合体（１０）。
【請求項１３】
電極集合体（６０）は、一般に円筒構成である、請求項１〜９のいずれか１項に記載の電極集合体。
【請求項１４】
前記電極（１１、１４、１５；５２、５４；６６、６１）および前記誘電バリア（１２、１３；５３；６４）を収納するためのケーシング（１６、１７；５１、５５；６２、６８）をさらに含む、請求項１〜１３のいずれか１項に記載の電極集合体。
【請求項１５】
前記電極（１１、１４、１５）は、前記ケーシング（１６、１７）を通してアクセスできる接続端子（１８、１９、２０）を含む、請求項１４に記載の電極集合体。
【請求項１６】
請求項１〜１５のいずれか１項に記載の電極集合体（１０；５０；６０）、および前記電極に制御電圧を印加するための駆動回路を備える、イオン発生器。
【発明の詳細な説明】
【技術分野】
【０００１】
本発明は、一般に、空気中にマイナスイオンを生成するための装置に関する。特に、本発明は、この種の装置に使用する電極集合体に関する。
【背景技術】
【０００２】
最近数１０年に亘り、マイナスイオンは、良い空気の品質の本質的な構成要素であると気づかされた。これらのマイナスイオンは、植物、動物および人間にとって有益な生理作用を有することが示された。広範囲な調査は、環境における大量のマイナスイオンが、気分を良くすることができ、代謝活動を改善することができ、治癒作用を加速することができ、スポーツマンの能力を向上させることができる、と結論した。加えて、マイナスイオンは、有害な塵を除去し、匂いを取り除き、さまざまな微生物を殺すような、重要な空気清浄化機能を有することを示した。
【０００３】
多くの従来のイオン発生器は、金属ピンの構成を利用する。ピンは、装置の固定部であり、通常は容易に交換可能でない。ピンは、犠牲陽極として本質的に機能するので、継続的な使用によって鈍る傾向がある。ピンが鈍るにつれて、マイナスイオンの発生は有意に減少する。そして、それらの意図された目的にとって有効であるには不十分なマイナスイオンの発生に結びつく。ピンが鈍る迅速さは、ピンの交換が頻繁に必要なことを意味し、したがって、これらの製品を所有することのコスト増加および不便を意味する。これは、交換不能のピンを有する従来のイオン発生器の効果が、ピンが一旦鈍ってしまうまでであることを意味する。そして、それは週または月の問題でありえる。考慮の他のエリアは、イオン生成装置におけるモジュール性の欠如である。一般的なイオン生成装置は、特定のモデルのために設計されるか、または他の空気清浄化製品に組み込まれる。そして、より特定のイオン生成装置を作成して、別々の市場を横断するそれらの有用性を制限する。
【０００４】
米国特許第７，３６５，９５６号明細書は、気圧で空気中にマイナスイオンを生成するイオン発生器を開示する。そこにおいて、２つの電極が、誘電材料のバリアの両側近傍にそれぞれ配置される。２つの電極は、各電極が複数の孔を有する同様の構造を有する。電極は、両方とも金属メッシュでよい。または、両方の電極は、バリア面上へ直接堆積されてよく、不規則なまたは規則的なパターンにされてよい。そうすると、導体が存在しない領域ができる。パターンは、斜交平行（ｃｒｏｓｓ−ｈａｔｃｈ）パターンでよい。
【０００５】
米国特許第７，４３８，７４７号明細書には、複数のイオン放出ポイントを定義するために、平坦面および平坦面に取り付けられる複数の導電ラインを有する平らな誘電層を含む、マイナスイオン発生器が開示されている。高電圧発生回路は、イオン放出ポイントから電子の放出を行わせるための導電ラインに接続される。１つの記述された構成において、導電メッシュスクリーンは、別々の形状の複数のパンチされたカットアウトを有する。
【０００６】
日本国特開２００４−１６７３９１号公報には、ボックス形状の静電空気清浄化装置が開示されている。この装置は、エアコンディショナのメインボディに固定されるベース、ベースの下に着脱可能に取り付けられる高圧電源、背面カバー、および、空気流入孔を備えて背面カバーの上に取り付けられる前面カバー、を有する。集塵電極ならびに、放電電極および対極からなるイオン発生器は、背面カバー内に収納される。
【０００７】
オゾンの発生を制御すると共に、十分な量のマイナスイオンを発生することのできるイオン発生器の必要性が、存在する。商品寿命を延ばすように、イオン発生器の電極が、容易に使用可能でありえるか交換可能でありえることも、望ましい。本発明は、これらの必要性を考慮して開発された。
【発明の概要】
【課題を解決するための手段】
【０００８】
１つの態様では、本発明は、イオン発生器電極集合体であって：
内部電極；
少なくとも１つの外部電極；および、
内部電極と少なくとも１つの外部電極とにはさまれる誘電バリア；を備え、
前記内部電極は、連続した全体表面を有し、前記少なくとも１つの外部電極は、マイナスイオンの生成のための複数のイオン生成ポイントを提供するのに適した複数の孔を有する、イオン発生器電極集合体、
を提供する。
【０００９】
本発明のイオン発生器電極集合体は、オゾンの発生を制御すると共に、外部電極の複数の孔によって実現される複数のイオン生成ポイントによるマイナスイオンの生成を許容する。
【００１０】
動作領域に孔がない導電性の連続した全体表面を有する高い導電性の内部電極を有することによって、酸素分子の破壊が生じる閾値を越える電圧なしで、そして、オゾンの生成を制御することをともなって、より小さい電圧が、マイナスイオンを生成するために用いられることができる。より小さい電圧はまた、より少ない熱を発生し、そして、それはエネルギー効率に結びつく。
【００１１】
実施形態において、外部電極の孔の各々は、多数の先のとがったエッジを有する周辺部分によって囲まれる中心の開口空間を有する。
【００１２】
例えば、孔の各々は、ハニカム、星または太陽のエレメントの形状に構成されてよい。
【００１３】
実施形態において、全ての孔は、同じ形状を有する。
【００１４】
実施形態において、孔は、三次元構造の形態である。
【００１５】
局部的な三次元建造物の形態の孔は、形成プロセスによって形成されてよい。
【００１６】
他の代替物は、スタンピングプロセスによって形成される外部電極の隆起した台地状表面上に提供される孔である。
【００１７】
孔は、規則的なパターンまたは配列に、あるいは不規則に、配置されてよい。
【００１８】
金属シートの外部電極の場合、孔は、スタンピングによって形成されてよい。
【００１９】
内部および／または少なくとも１つの外部電極は、金属シート（例えば金属箔または板）を含んでよい。例えば、ニッケル板、銅または他の金属シートは、内部電極としての用途に適している。一方、ニッケル板、ステンレス鋼または同様の材料は、外部電極としての用途に適している。
【００２０】
実施形態において、内部および外部電極は、異なる材質を含む。例えば、内部電極は、ニッケルを含んでよい。そして、外部電極は、ステンレス鋼を含んでよい。
【００２１】
内部電極の厚みは、０．１ｍｍ〜０．２ｍｍの範囲でよい。各外部電極の厚みは、０．１ｍｍ〜０．５ｍｍの範囲でよい。
【００２２】
内部および／または少なくとも１つの外部電極は、金属シート上に形成される導電コーティングをさらに含んでよい。例えば、少なくとも１つの外部電極は、導電コーティングを有するステンレス綱板を含んでよい。
【００２３】
この種の導電コーティングは、オゾン生成を制御するために、１つ以上の外部電極を被覆するために用いてよい。
【００２４】
代わりに、内部および／または少なくとも１つの外部電極は、この種の導電コーティングから成ってよい。この場合、導電コーティングは、誘電バリアの表面上に堆積（ｄｅｐｏｓｉｔｅ）されてよい。外部電極の場合、コーティングは、複数の孔を形成するために、その後エッチングされる。
【００２５】
導電コーティングは、黒鉛ベースが適切である。１つの構成要素の例は、熱硬化性物質中における半コロイド黒鉛のソルベントベースの分散である。導電コーティングの他の例は、エポキシ樹脂溶液中における微細に分かれた黒鉛ピグメントの分散である。導電コーティングの厚みは、例えば、１２〜２５マイクロメートルの範囲が適切でよい。
【００２６】
セラミック、ガラスまたは他の誘電体基板のプレートが、内部電極を１つ以上の外部電極から分離するために誘電バリアとして用いられる。誘電バリアの材料の厚みは、０．２ｍｍ〜１．５ｍｍの範囲でよい。
【００２７】
一実施形態において、電極集合体は、一般に平面構成である。平面内部電極の両側に１つずつ、それぞれの誘電バリアによって内部電極から各々分離されて、２つの外部電極が存在してよい。代わりに、内部電極の片側に、ただ１つの外部電極が存在してよい。
【００２８】
他の実施形態では、電極集合体は、一般に円筒構成である。
【００２９】
電極集合体は、電極および誘電バリアを収納するためのモジュラー・ケーシングを含んでよい。
【００３０】
電極は、ケーシングを通してアクセス可能な接続端子を含むことが適切である。
【００３１】
別の態様において、本発明は、本明細書に記述した電極集合体、および電極に制御電圧を印加するための駆動回路を含む、イオン発生器を提供する。
【００３２】
内部電極、誘電バリアおよび少なくとも１つの外部電極は、電極に制御電圧を印加するための駆動回路の接続を見込むために、統合された接点素子を有するモジュラー・ケーシングの範囲内に収納されることが適切である。イオンの生成に必要な交流高電圧を提供する駆動回路は、先行技術において知られており、本明細書において詳細を必要としない。
【００３３】
実施形態において、ケーシングは、適所に電極および誘電層を保持するために互いに取り付けられる２つの構成要素を含み、そして、外部電極のイオン生成孔を露出させる少なくとも１つの窓を有する。
【００３４】
内部および外部電極に例えば異なる材質を使用すること、および／またはそれらの相対寸法を調整することは、用途によるイオンおよびオゾンの出力を変化させそして制御する柔軟性を提供する。外部電極は、導電コーティング、ニッケルまたはステンレス鋼のさまざまな組合せでできていることが可能である。内部電極は、導電コーティングかまたは金属シートであり、あるいは、導電コーティングで被覆された金属シートである。内部電極の組成および／または厚みを変化させることは、外部電極によるマイナスイオン発生の特性を変える。
【図面の簡単な説明】
【００３５】
本発明は、添付図面を参照しながら、好ましい実施形態の以下の説明から、より明らかに理解される。しかしながら、実施形態および図面は、説明および図示のみの目的で与えられるものであり、いかなる形であれ本発明の範囲を制限するものでなく、そして、本発明の範囲は、添付の請求の範囲で決定される。
【００３６】
添付図面において、同様の参照数字は、いくつかの図を通して、同様の部分を示すために用いる。
【００３７】
【図１】図１は、平面構成のイオン発生器電極集合体の構造を示す分解斜視図である。
【図２】図２は、図１の電極集合体の組み立てられた状態のさまざまな図である。
【図３】図３ａ〜３ｄは、図１、２の電極集合体の外部電極の構成のさまざまな例の平面図である。
【図４】図４は、図１、２の電極集合体の外部電極の構成の三次元形状の別々の例を示す。
【図５】図５は、イオン発生器電極集合体に対する修正の斜視図である。
【図６】図６は、円筒構成のイオン発生器電極集合体の斜視図である。
【図７】図７は、円筒構成のイオン発生器電極集合体の組み立てられた状態の斜視図である。
【発明を実施するための形態】
【００３８】
図１は、モジュラー・ケーシング１６、１７に収納されて平行に配置される１つの内部電極１１、２つの外部電極１４、１５、および２つの誘電バリア１２、１３の構成要素を有する、平面構成の電極集合体１０を、分解斜視図において図示する。
【００３９】
内部電極１１および外部電極１４、１５は、金属シートである。この場合、３０ｍｍ×２０ｍｍ×０．２ｍｍのニッケル板が、内部電極１１として用いられる。３０ｍｍ×２０ｍｍ×０．２ｍｍの２枚のステンレス綱板が、外部電極１４、１５として用いられる。４０ｍｍ×２６ｍｍ×０．８ｍｍの２枚のセラミック板が、内部電極１１を外部電極１４、１５の各々から分離する誘電バリア１２、１３として用いられる。内部１１および外部電極１４、１５の組合せは、周囲空気にマイナスイオンを生成する。内部電極１１の両側において、内部電極１１に面している１つの外部電極１４、１５は、１つの誘電バリア１２、１３によって分離される。
【００４０】
内部電極１１は、そのアクティブエリアにわたっていかなる開口または孔もない連続した全体表面を有する。外部電極１４、１５の各々は、後で詳細に述べるように、マイナスイオンの生成のための多数のイオン生成ポイントを提供するために、複数の孔２１を有する。本実施形態において、１８個の孔２１が外部電極１４、１５に存在する。
【００４１】
内部電極１１の一端（図１の右側に見られる）は、Ｔ字状のタブを有して、それは電極をモジュラー・ケーシング１６、１７に取り付けることを可能にする。その一方で、内部電極１１の他端（左側に見られる）は、駆動回路を接続するための接点素子２０が適切に取り付けられることのできる均一幅のタブを有する。
【００４２】
同様に、各外部電極１４、１５の一端は、モジュラー・ケーシング１６、１７に同様に取り付けられるために、Ｔ字状のタブが形成される。各外部電極１４、１５の他端は、接点素子１８、１９が適切に取り付けられるための均一幅のタブを提供する。
【００４３】
図２は、電極集合体の構成要素を収納するために用いる２つのカバー１６、１７を含む、矩形の形状のモジュラー・ケーシングを、さまざまな図において図示する。カバー内部の区画は、誘電バリア、外部電極、内部電極および接点素子である電極集合体の構成要素を受け入れるクリアランスとともに構成される。
【００４４】
図面および上述の寸法から理解されるように、２枚のセラミック板は、カバーの内部構造によって定義されるフレームの範囲内に、比較的ぴったりと取り付けられるように設計される。一方で、電極は、セラミック板と比べて小さくされる。電極は、それらのエンドタブを使ってセラミック板の中央に位置する。
【００４５】
カバー１６、１７の各々は、外部電極のイオン生成孔を露出させるために、窓のような開口２３、２４を有する。ネジ２２は、エンクロージャを形成するようにケーシングの２つのカバーを固定するために用いられる。明らかに、スナップロック取り付けのような他の手段は、ケーシングカバーどうしを固定するために用いてよい。モジュラー・ケーシングの範囲内の統合された接点素子の設計は、別個の電力モジュールが、標準コネクタを使用して電極集合体を駆動するために接続されることを容易に可能にする。
【００４６】
導電コーティングは、導電性および耐薬品性コーティングを提供して、高い耐溶剤性特性を有するために用いられる。本実施形態において、Ｄａｇ（登録商標）ＥＢ−８１５は、この目的のために使用するコーティングである。このコーティングは、アチソン・インダストリーズ社によって製造される。物性として、Ｄａｇ（登録商標）ＥＢ−８１５は、１５００−４０００ｍＰａ．ｓの粘性および１．１４ｋｇ／Ｉの密度を有する。コーティングの厚みは、１２マイクロメートルから２５マイクロメートルの範囲でよい。このコーティングは、オゾンの発生を制御する能力を有する。内部電極１１の両側の表面は、導電コーティングで完全に被覆される。外部電極１４、１５の表面は、部分的にまたは完全に被覆されてよい。部分的に被覆される外部電極として、孔を包含する外部電極の表面積の一部のみでかつ全部でない部分が、導電コーティングで被覆される。しかしながら、完全または部分的いずれのコーティングの場合も、コーティングは、モジュラー・ケーシングのカバー１６、１７の窓２３、２４を通して外部に面する外部電極１４、１５の表面に適用されるのみである。
【００４７】
同じ製造業者によって製造される他のコーティングＤａｇ（登録商標）２１３が、代わりに用いられてよい。物性として、Ｄａｇ（登録商標）２１３は、２８００ｍＰａ．ｓの粘性および０．９８のｋｇ／Ｉの密度を有する。
【００４８】
図３は、外部電極の孔のいくつかの可能な構成を図示する。図３ａに示すように、上記の図１、２の実施形態における外部電極用の孔は、星の形状に構成される。星型の孔の他の形態は、図３ｂに示される。ここでの先のとがったエッジは、図３ａの場合の先のとがったエッジよりも大きい内角を含む。図３ｃは、六角形の形状で、かつ規則的なアレイに配列された孔のハニカム構成を示す。図３ｄは、太陽の光線のように一般に放射状に向く先のとがったエッジに囲まれた中心の丸孔によって定義される、太陽形の構成の孔を示す。
【００４９】
図４は、孔を定義する三次元構造の形態において、外部電極の孔の他の可能な構成を図示する。これらは、一般に平面孔または一般に平面外部電極の代替物として使われることができる。
【００５０】
図４ａは、三次元星の構造を示す。円の放射状の１組のカットとして、スリットが最初に形成される。三次元星の構造は、それから、スリットによる打抜きによって形成され、それにより、円のセクタによって形成される星の先のとがったエッジは、傾斜した角度で表面から突出する。先のとがったエッジは、モジュラー・ケーシングの窓２３、２４に面する外部電極１４、１５の表面積の外側に突出する。
【００５１】
図４ｂは、スタンピングプロセスによって形成される他の三次元構成を示す。外部電極１４、１５の台地状表面は、三次元構造を作成するスタンピングプロセスによって、元の表面に対して隆起した状態に最初に形成される。外部電極１４、１５の隆起した台地状表面は、モジュラー・ケーシングの窓２３、２４に面する。台地状表面の各々は、続いて、複数の孔を形成するために打抜かれる。孔は、外部電極１４、１５の表面上に、チャネルごとに孔の行または列を有するチャネルにおいて形成される。
【００５２】
外部電極の孔の上記の構成例は、本発明の任意の実施形態において使われてよい。一般論として、各孔は、多数の先のとがったエッジを有する周辺部分によって囲まれる中心の開口空間を有する。理論に束縛されることを望むことなく、別々の形状の先のとがったエッジは、マイナスイオンを生成する際に有意であると考えられる。したがって、これらの基準を満たす他の形状および構造が、本発明で用いられることも可能である。
【００５３】
代わりに、他の実施形態は、平行に配置されてモジュラー・ケーシングに収納された、１つの内部電極、２つの外部電極および２つの誘電バリアの、図１、２に示すように同じ構成を有する。この実施形態において、外部電極の表面は、導電コーティングで完全に被覆される。
【００５４】
図５は、モジュラー・ケーシング５１、５５に収納されて平行に配置される、１つの内部電極５２、１つの外部電極５４および１つの誘電バリア５３の構成要素を含む第２実施形態５０を、分解斜視図において図示する。内部電極５２および外部電極５４は、金属シートである。この場合、１６ｍｍ×１５ｍｍ×０．１５ｍｍのニッケル板が、内部電極５２として用いられる。１６ｍｍ×１４．５ｍｍ×０．１５ｍｍのステンレス綱板が、外部電極５４として用いられる。２１ｍｍ×１６ｍｍ×０．５ｍｍの１つのセラミック板が、内部電極５２を外部電極５４から分離する誘電バリア５３として用いられる。
【００５５】
外部電極５４は、内部電極５２の一側に配置されて、誘電バリア５３によって分離される。内部電極５２は、そのアクティブエリアにわたっていかなる開口または孔もない連続した全体表面を有する。外部電極５４は、マイナスイオンの生成のための多数のイオン生成ポイントを提供するために、複数の孔５６を有する。この実施形態において、９個の孔が外部電極５４に存在する。この実施形態における外部電極５４用の孔５６は、星の形状に構成される。モジュラー・ケーシングは、電極集合体の構成要素を収納するために用いる２つのカバー５１、５５を含む。１つのカバー５５は、外部電極のイオン生成孔を露出させるために、窓のような開口５７を有する。その一方で、１つのカバー５１は、内部電極５２の露出を防止するために、堅牢な壁を有する。非導電性材料のカバー５１、５５は、絶縁物として機能する。この実施形態５０において、外部電極５４および誘電バリア５３を有する内部電極５２の片側のみが、イオンを生成することが可能である。内部電極５２の表面は、導電コーティングで完全に被覆される。しかしながら、コーティングは、誘電バリア５３および外部電極５４に面する内部電極５２の表面に適用されるのみである。外部電極５４の表面は、部分的に被覆される。しかしながら、コーティングは、モジュラー・ケーシングのカバー５５の窓５７を通して外部に面する外部電極５４の表面に適用されるのみである。
【００５６】
代わりに、他の実施形態は、同じ構成を有するが、しかし、外部電極の表面は、導電コーティングで完全に被覆される。
【００５７】
本実施形態の他の修正は、１つの内部電極および２つの誘電バリアを有する構成である。内部電極は、いかなる開口または孔もない連続した全体表面を有する金属シートである。外部電極は、平面内部電極の両側に配置される誘電バリア上に形成される導電コーティングとして実現される。導電コーティングは、誘電バリアの表面に堆積され（ｄｅｐｏｓｉｔｅ）てよく、複数の孔を形成するためにその後エッチングされてよい。
【００５８】
一実施形態において、電極集合体は、一般に平面構成である。それから、平面内部電極の両側に１つずつ、そして各々がそれぞれの誘電バリアによって内部電極から分離される、２つの外部電極があってよい。代わりに、内部電極の片側に、ただ１つの外部電極があってよい。
【００５９】
外部電極を１つのみ有する平面構成の実施形態は、電極モジュールが壁（例えばキャビネット壁）に一般に平坦に取り付けられるような用途に適している。他方で、外部電極を２つ有する場合は、キャビネット壁に対して垂直に設置して、それによりイオンがモジュールの両側から発生することができて、自由に放出されることができる用途に適している。
【００６０】
第３実施形態は、図６に斜視図で示すように、一般に円筒構成の電極集合体６０である。主な構成要素は、１つの内部電極６６、１つの外部電極６１、１つの誘電バリア６４、１つの絶縁物６５、２つの接点キャップ６２、６８、および２つのブッシュ６３、６７である。外部電極６１は、マイナスイオンの生成のための多数のイオン生成ポイントを提供するために、複数の孔７０を有する。孔は、既述の任意の形態をとってよい。
【００６１】
内部６６および外部電極６１は、誘電バリア６４によって分離される。内部電極６６は、誘電バリア６４内にまず挿入される。ゴムブッシュ６３、６７は、内部電極６６および誘電バリア６４のこの配置のそれぞれの端部に、それから挿入される。誘電バリア６４、内部電極６６およびゴムブッシュ６３、６７のこの配置は、接点キャップ６８によって一端でカプセル化される。絶縁物６５および外部電極６１は、それから誘電バリア６４の外側を覆ってスライドされる。絶縁物６５は、接点キャップ６８を外部電極６１から絶縁する。内部６６および外部電極６１、誘電バリア６４、ゴムブッシュ６３、６７、絶縁物６５、およびエンドキャップ６８のこの配置の他端は、接点キャップ６２によってさらにカプセル化される。内部電極６６が位置する誘電バリア６４の内部表面は、内部電極６６を酸化および／または腐食から保護するために、気密または真空室を提供する。オプションとして、外部電極６１は、導電コーティングによって部分的に６９または完全に（図示せず）被覆される。
【００６２】
本実施形態の他の修正は、内部電極および誘電バリアを有する構成である。外部電極は、誘電バリアの外部表面上に形成される導電コーティングとして実現される。
【００６３】
本実施形態の他の修正は、外部電極および誘電バリアを有する構成である。内部電極は、誘電バリアの内部表面上に形成される導電コーティングとして実現される。
【００６４】
代わりに、内部および外部電極の機能は、誘電バリアの内部および外部表面上に形成される導電コーティングとして、各々実現されることができる。
【００６５】
円筒形をした内部電極６６、外部電極６１および誘電バリア６４は、平面構成と比較して、周囲空気におけるマイナスイオンのより良好な分布に結びつく、より均一なイオン分布を生成する。円筒構成によって、イオンは、電極集合体６０のまわりに３６０度均一に広がることができる。
【００６６】
本発明による実施形態は、ユーザの用途に合う寸法に拡大・縮小されることができる。イオン生成モジュール内に組み込まれる電極集合体は、したがって、構成要素の寸法を変化させることによって、用途の必要性に応じてモジュールの寸法を拡大・縮小する柔軟性を提供する。
【００６７】
電極集合体は、所望のマイナスイオンを生成するために、開口または孔のない１つの内部電極と、複数の孔を有する少なくとも１つの外部電極と、少なくとも１つの中間の誘電バリアとの組合せを含む。
【００６８】
本発明の電極モジュールは、イオン生成製品に組み込まれることができる。本発明のモジュール性は、その有用性を増加させ、そして本発明のモジュール性によって、イオン生成製品は、需要者、販売業者、製造業者かどうかで別々の市場必要性の要求を満たすようにイオンの生産を増加させるために、単一のまたは多数のイオン生成モジュールを有することができる。多数の電極モジュールは、１つ以上の電力モジュールに接続されてよい。
【００６９】
本発明による１つ以上の電極モジュールを使用するイオン発生器は、伝統的なピンタイプのイオン発生器よりも長い耐用年数を提供すると共に、各モジュールは、駆動回路からモジュールのプラグを単に抜いて、それを取り外して、取り替えることによって、容易に交換されることができる。必要に応じて、電極および誘電体の構成要素をクリーニングおよび／または交換するための、電極モジュールの構成要素を容易に分解することもまた、可能である。修理されたモジュールは、それから容易に再インストールされることができて、再接続されることができる。
【００７０】
本発明は、その範囲から逸脱することなく、本明細書において特に記述されるそれら以外の多くの方法で実施されてもよい。
【図１】
2012513657.tif 000003
【図２】
2012513657.tif 000004
【図３】
2012513657.tif 000005
【図４】
2012513657.tif 000006
【図５】
2012513657.tif 000007
【図６】
2012513657.tif 000008
【図７】
2012513657.tif 000009
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
イオン発生器電極集合体であって：
内部電極（１１；５２；６６）；
少なくとも１つの外部電極（１４、１５；５４；６１）；および、
前記内部電極と前記少なくとも１つの外部電極とにはさまれる誘電バリア（１２、１３；５３；６４）；を備え、
前記内部電極は、連続した全体表面を有し、前記少なくとも１つの外部電極は、マイナスイオンの生成のための複数のイオン生成ポイントを提供するのに適した複数の孔（２１；５６；７０）を有し、
前記孔（２１；５６；７０）の各々は、多数の先のとがったエッジを有する周辺部分によって囲まれる中心の開口空間を有する、
電極集合体。
【請求項２】
前記孔の各々は、ハニカム、星または太陽のエレメントの形状に構成される、請求項１に記載の電極集合体。
【請求項３】
前記孔の各々は、前記外部電極の局部的な三次元構造によって定義される、請求項１または２に記載の電極集合体。
【請求項４】
前記孔の各々は、前記外部電極の隆起した台地状表面上に提供される、請求項１〜３のいずれか１項に記載の電極集合体。
【請求項５】
前記内部および／または少なくとも１つの外部電極は、金属シートを含む、請求項１〜４のいずれか１項に記載の電極集合体。
【請求項６】
前記内部および／または少なくとも１つの外部電極（１１、１４、１５；５２、５４；６６、６１）は、前記金属シート上に形成される導電コーティングをさらに含む、請求項５に記載の電極集合体。
【請求項７】
前記内部および／または少なくとも１つの外部電極（１１、１４、１５；５２、５４；６６、６１）は、導電コーティングを含む、請求項１〜４のいずれか１項に記載の電極集合体。
【請求項８】
前記導電コーティングは、前記誘電バリア（１２、１３；５３；６４）の表面上に形成される、請求項７に記載の電極集合体。
【請求項９】
前記電極集合体は、一般に平面構成である、請求項１〜８のいずれか１項に記載の電極集合体。
【請求項１０】
それぞれ前記誘電バリア（１２、１３）によって前記内部電極（１１）と各々分離した、２つの前記外部電極（１４、１５）がある、請求項９に記載の電極集合体（１０）。
【請求項１１】
前記誘電バリア（５３）の片面上に、１つの前記外部電極（５４）がある、請求項９に記載の電極集合体（１０）。
【請求項１２】
電極集合体（６０）は、一般に円筒構成である、請求項１〜８のいずれか１項に記載の電極集合体。
【請求項１３】
前記電極（１１、１４、１５；５２、５４；６６、６１）および前記誘電バリア（１２、１３；５３；６４）を収納するためのケーシング（１６、１７；５１、５５；６２、６８）をさらに含む、請求項１〜１２のいずれか１項に記載の電極集合体。
【請求項１４】
前記電極（１１、１４、１５）は、前記ケーシング（１６、１７）を通してアクセスできる接続端子（１８、１９、２０）を含む、請求項１３に記載の電極集合体。
【請求項１５】
請求項１〜１４のいずれか１項に記載の電極集合体（１０；５０；６０）、および前記電極に制御電圧を印加するための駆動回路を備える、イオン発生器。
【手続補正２】
【補正対象書類名】明細書
【補正対象項目名】０００８
【補正方法】変更
【補正の内容】
【０００８】
１つの態様では、本発明は、イオン発生器電極集合体であって：
内部電極；
少なくとも１つの外部電極；および、
内部電極と少なくとも１つの外部電極とにはさまれる誘電バリア；を備え、
前記内部電極は、連続した全体表面を有し、前記少なくとも１つの外部電極は、マイナスイオンの生成のための複数のイオン生成ポイントを提供するのに適した複数の孔を有し、
外部電極の孔の各々は、多数の先のとがったエッジを有する周辺部分によって囲まれる中心の開口空間を有する、イオン発生器電極集合体、
を提供する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
孔の各々は、ハニカム、星または太陽のエレメントの形状に構成されてよい。
【手続補正５】
【補正対象書類名】図面
【補正対象項目名】図１
【補正方法】変更
【補正の内容】
【図１】
2012513657.tif 000010
【手続補正６】
【補正対象書類名】図面
【補正対象項目名】図２
【補正方法】変更
【補正の内容】
【図２】
2012513657.tif 000011
【手続補正７】
【補正対象書類名】図面
【補正対象項目名】図３
【補正方法】変更
【補正の内容】
【図３】
2012513657.tif 000012
【手続補正８】
【補正対象書類名】図面
【補正対象項目名】図４
【補正方法】変更
【補正の内容】
【図４】
2012513657.tif 000013
【手続補正９】
【補正対象書類名】図面
【補正対象項目名】図５
【補正方法】変更
【補正の内容】
【図５】
2012513657.tif 000014
【手続補正１０】
【補正対象書類名】図面
【補正対象項目名】図６
【補正方法】変更
【補正の内容】
【図６】
2012513657.tif 000015
【手続補正１１】
【補正対象書類名】図面
【補正対象項目名】図７
【補正方法】変更
【補正の内容】
【図７】
2012513657.tif 000016
【国際調査報告】
2012513657.tif 000017
2012513657.tif 000018
2012513657.tif 000019